(57)【要約】【課題】本発明は電熱脱毛装置を開示し、それは構造が簡単であり、使用が便利で、脱毛効率が高くて無痛且つ安全に操作できる電熱脱毛装置である。【解決手段】本電熱脱毛装置はケース（１）と前記ケース（１）に設置される制御装置（２）、電源装置（３）、グレーティング感知装置、発熱装置を含み、前記電源装置（３）、前記グレーティング感知装置及び前記発熱装置が前記制御装置（２）に電気接続し、前記生業装置（２）が前記グレーティング感知装置が発する信号を受けて前記発熱装置を制御して熱を発生する。本発明は脱毛装置の分野に広く使用されることが可能である。【選択図】図１
2013180211.tif 000002
【特許請求の範囲】
【請求項１】
電熱脱毛装置であり、その特徴は以下のとおりである：前記電熱脱毛装置はケース（１）及びケース（１）に設置される制御装置（２）、電源装置（３）、グレーティング感知装置、発熱装置を含み、前記電源装置（３）、前記グレーティング感知装置及び前記発熱装置が前記制御装置（２）に電気接続し、前記制御装置（２）が前記グレーティング感知装置が発する信号を受けて前記発熱装置を制御して熱を発生する。本発明は脱毛装置の分野に広く使用されることが可能である。
【請求項２】
権利要求１の規程によって、前記電熱脱毛装置の特徴は以下のとおりである：前記電熱脱毛は前記ケース（１）に位置する固定フレーム（４）、発熱ヘッドホルダ（５）及び前記ホルダ（５）、前記ケース（１）の外部に位置して前記発熱ホルダ（５）にある発熱ヘッド（６）を含み、前記発熱装置が前記発熱ヘッド（６）に位置する。
【請求項３】
権利要求２によって、前記電熱脱毛装置の特徴は以下のとおりである：前記発熱ヘッド（６）が早期状態及び使用状態において皮膚または毛に接触し、且つ使用状態において往復運動を実現できる。
【請求項４】
権利要求２によって、前記電熱脱毛装置の特徴は以下のとおりである：前記グレーティング感知装置は感知輪（７）、ベルト（８）、ローラー（９）と光電送受信装置を含み、前記光電送受信装置は前記制御装置（２）に電気接続し、且つ前記感知輪（７）のグリルに配合し、前記感知輪（７）は前記ベルト（８）を介して前記ローラー（８）及び前記ローラー（９）に接続し、前記感知輪（７）及び前記ローラー（９）は固定フレーム（４）に回転的に設置され、前記ローラー（９）が前記固定ホルダ（４）に回転的に設置され、前記ローラー（９）が前記ケース（１）の外部に設置される。
【請求項５】
権利要求４によって、前記電熱脱毛装置の特徴は以下のとおりである：ローラー（９）が皮膚で滑動する時、ローラー（９）がベルト（８）を介してグレーティング感知装置の感知輪（７）を伝動し、本感知輪（７）のグリル及び前記光電受発信装置の赤外線発射管（ＩＲ１）が発する赤外線貫通回転の感知輪（７）のグレーティングが光電受発信装置の赤外線接受管（ＰＴ１）に接受され、系列パルス信号を形成し、前記制御装置（２）に送り、前記発熱装置を制御して発熱させる。
【請求項６】
権利要求２によって、前記電熱脱毛装置の特徴は以下のとおりである：前記発熱ホルダ（５）が前記固定フレーム（４）に設置され、且つ前記固定ホルダ（４）に滑動配合し、前記発熱ヘッドホルダ（５）と前記固定ホルダ（４）との間にバネ（１０）が設置される。
【請求項７】
権利要求１−６のいずれかの条項によって、前記電熱脱毛装置の特徴は以下のとおりである：前記電熱脱毛装置は前記制御装置（２）に電気接続するスイッチ（１１）を含み、前記スイッチ（１１）が前記制御装置（２）に固定設置され、前記ケース（１）の上にある前記スイッチ（１１）の上の方にはキー（１２）が設置される。
【請求項８】
権利要求１−６のいずれかによって、前記の電熱脱毛装置の特徴は以下のとおりである：前記制御装置は三端子安定回路、制御回路、フォトカプラ回路、集積拡大回路、スイッチ回路及び駆動回路を含み、前記三端子安定回路、前記フォトカプラ回路、前記集積拡大回路、前記スイッチ回路、前記駆動回路がそれぞれ前記制御回路に電気接続し、前記三端子安定回路を介して前記制御回路に給電し、前記スイッチ回路が繋がると、前記フォトカプラ回路により前記制御回路に信号を提供し、前記制御回路が確認して誘発信号を発し、前記集積拡大回路と前記駆動回路を誘発し、前記発熱装置を正常に稼働させる。
【請求項９】
権利要求８によって、前記電熱脱毛装置の特徴は以下のとおりである：前記制御回路はＭＣＵを含み、電源装置への充電を制御し、発熱装置を検測して駆動して加熱する。
【請求項１０】
権利要求８によって、前記電熱脱毛装置の特徴は以下のとおりである：前記集積拡大回路（２３）が発熱糸の電流を駆動して電気抵抗（Ｒ１２）を経過させ、且つ電気抵抗（Ｒ１２）の電圧信号によって発熱糸の長さを判断し、異なる発熱糸に対して異なる駆動パルスを提供する。
【発明の詳細な説明】
【技術分野】
【０００１】
本発明は電熱脱毛装置に関する。
【背景技術】
【０００２】
現在、人々の脱毛方式が多種多様であり、だが、これらの方式のいずれにも不足が存在する。例えば、物理的なレザー脱毛と光子脱毛は脱毛効果が良いが、価格が割合に高く、不当に使用すれば、危険な場合も存在し、且つこのような機械は構造が複雑であり、体積が大きく、操作が不便であるため、専門的な美容院にしか見られる；化学方式の脱毛蝋、脱毛ローション、脱毛液と言えば、それらの化学方式は皮膚に副作用があり、且つ脱毛の過程において痛みを引き起こす；手動のカミソリまたは電気カミソリは迅速に毛を除去することができるが、効率が低く、且つ下手に使用すれば、毛穴を損傷する可能性がある。
【発明の概要】
【発明が解決しようとする課題】
【０００３】
本発明は現在技術の不足を克服し、構造が簡単でり、使用が便利であり、脱毛効率が高く、安全且つ無痛に操作できる電熱脱毛装置を提供する。
【課題を解決するための手段】
【０００４】
本発明が採用する技術案は以下のとおりである：  本発明はケース及びケースに取り付けられる制御装置、電源装置、グレーティング感知装置、発熱装置を含み、前記電源装置、前記グレーティング感知装置、前記発熱装置はいずれも制御装置に電気接続し、前記制御装置が前記グレーティング感知装置が発する信号を接受して前記発熱装置を制御して熱を発生する。
【０００５】
前記電熱脱毛装置は前記ケース内部に位置する固定ホルダ、発熱ヘッドホルダ及び前記ケース外部に位置し、且つ前記発熱ヘッドホルダに設置される発熱ヘッドを含み、前記発熱装置は前記発熱ヘッドに設置される。
【０００６】
前記発熱ヘッドは早期状態及び使用状態において皮膚または毛髪に接触し、且つ使用状態において往復運動できる。
【０００７】
前記グレーティング感知装置は感知輪、ローラー、光電受発信装置を含み、前記光電受発信装置は前記制御装置に電気接続し、且つ前記感知輪上のグリルに配合し、前記感知輪は前記ベルトを介して前記ローラーに接続し、前記感知輪と前記ローラーは前記固定ホルダに回転的に設置され、前記ローラーは前記ケースの外部に位置する。
【０００８】
前記ローラーは皮膚で転がり、ローラーはベルトを介してグレーティング感知装置の感知輪を駆動し、本感知輪上のグリル及び光電受発信装置の赤外線発射管が発射する赤外線を介して回転感知輪のグリルを貫通して前記光電受発信装置の赤外線受発信に吸収され、系列パルス信号を形成し、前記制御装置に送信し、前記発熱装置を制御して発熱させる。
【０００９】
前記発熱ヘッドホルダは前記固定ホルダとの間にバネが設置される。
【００１０】
前記電熱脱毛装置は前記制御装置に電気接続するスイッチを含み、前記スイッチが前記制御装置に固定設置され、前記ケースにある前記スイッチの上の方にはキーが設置される。
【００１１】
前記制御回路は三端子安定回路、制御回路、フォトカプラ回路、集積拡大回路、スイッチ回路及び駆動回路を含み、前記三端子安定回路、前記フォトカプラ回路、前記集積拡大回路、前記スイッチ回路、前記駆動回路はいずれも前記制御回路に電気接続し、三端子安定回路を介して前記制御回路に給電し、前記スイッチ回路が貫通した後、フォトカプラ回路が前記制御回路に信号を提供し、前記制御回路は確認して信号を発し、前記集積拡大回路と前記駆動回路を誘発し、前記集積拡大回路と駆動回路を誘発し、前記発熱装置を正常に稼働させる。
【００１２】
前記制御回路はＭ一つのＭＣＵを含み、それは電源装置の充電及び発熱装置の検測と駆動を制御する。
【００１３】
前記集積拡大回路は電熱糸の電流を駆動して電気抵抗を経過し、電気抵抗の電圧信号によって発熱糸の長さを判断し、異なる発熱糸に異なる駆動パルスを提供する。
【発明の効果】
【００１４】
本発明の有益効果は以下のとおりである：本発明はケース及びケースに設置される制御装置、電源装置、グレーティング感知装置、発熱装置を含み、前記電源装置、グレーティング感知装置、発熱装置はいずれも前記制御装置に電気接続し、前記制御装置は前記グレーティング感知装置が発する信号を受けて前記発熱装置を制御して熱を発生し、前記グレーティング感知装置を介して人の皮膚に接触し、模擬信号を前記発熱装置に伝送し、前記制御装置は電源装置により給電し、人体の表層の毛髪を無痛に除去することができ、前記グレーティング感応装置が停止した後、前記発熱装置も停止し、人体の皮膚への損傷を回避することができる。そのため、本発明は構造が簡単であり、便利に操作でき、脱毛効率が高く、安全且つ無痛に操作することができる。
【図面の簡単な説明】
【００１５】
【図１】本発明の立体構造図
【図２】本発明の爆発図
【図３】本発明のケースの内部構造図
【図４】本発明の構造原理図
【図５】本発明の三端子安定回路図
【図６】本発明の制御回路図
【図７】本発明のフォトカプラ回路図
【図８】本発明の集積拡大回路図
【図９】本発明のスイッチ回路図
【図１０】本発明の駆動回路図
【発明を実施するための形態】
【００１６】
図１、図２、図３、図４、図５、図６、図７、図８、図９、図１０が示すように、本発明はケース１、制御装置２、電源装置３、グレーティング感知装置、発熱装置、固定フレーム、固定ホルダ４、発熱ヘッドホルダ５、発熱ヘッド６、スイッチ１１、ＬＥＤ指示ライト１３、フロント蓋１７を含み、前記電源装置前記グレーティング感知装置、前記発熱装置、前記スイッチ１１、前記ＬＥＤ指示ライト１３はいずれも前記制御装置２に電気接続し、前記ケース１噛み合うトップ蓋１４、下部蓋１５、バック蓋１６を含み、前記制御装置２はＰＣＢパネル及びＰＣＢパネルに設置されるＣＰＵを含み、前記電源装置３は電池または外部電源または太陽エネルギー電源を含み、本発明が電池を使用し、前記発熱装置は発熱糸または発熱管または発熱シートを利用し、前記固定ホルダ４と前記発熱ヘッドホルダは前記ケース１に設置され、前記発熱ヘッドホルダ５は前記固定ホルダ４に設置され、且つ固定ホルダ４に滑動配合し、前記発熱ヘッドホルダ５と前記固定ホルダ４との間にベネ１０が設置され、前記発熱ヘッド６が前記ケース１の外部に位置し、前記発熱装置は前記発熱ヘッド６に設置され、前記グレーティング感知装置は感知輪７、ベルト８、ローラー９、光電受発信装置を含み、前記光電受発信装置は前記制御装置２に電気接続し、且つ前記感知輪７のグリルに配合し、前記光電受発信装置はそれぞれ本感知輪７の両側に位置し、前記感知輪７は前記ベルト８と前記ローラー９に接続し、前記感知輪７、前記ローラー９は前記固定ホルダ４に回転的に設置され、前記ローラー９は前記ケース１の外部に位置し、前記スイッチ１１が前記制御装置２に固定設置され、前記ケース１にある前記スイッチ１１の上の方にキー１２が設置され、前記キー１２がキーホルダを介して前記ケース１に固定され、前記キーホルダは前記ケースに接続し、前記ＬＥＤライト１３は前記制御装置２に固定設置され、前記フロント蓋１７が前記ケース１の前部に設置されて配合し、前記発熱ヘッド６にある発熱装置を汚染から保護し、且つ前記ＬＥＤ指示ライト１３の端部分が前記ケース１の側壁から出て、前記スイッチ１１を押すと、回路がつながり、前記ローラー９が人の皮膚に接触して移動する時、ベルト８を介して感知輪７を回転させ、前記感知輪７にグリルが設置されるため、その両側に設置される前記光電受発信装置は前記制御装置２に模擬信号を提供することができる。前記制御装置２が信号転換をして前記発熱装置を制御して発熱させ、人体表面の毛と角質を無痛に除去し、その同時に、前記ＬＥＤ指示ライト１３とともに開くまたは閉まるようになり、前記ローラー９が停止すると、前記発熱装置は同時に発熱を停止し、火傷されることを防止し、簡単かつ便利に使用することができる。
【００１７】
その他、実際の需要によって、例えば、前記ケース１の横断面を腰型に作製する時、前記ケース１４に前記ケース１の内側壁と合わせる包み体１９を設定し、前記包み体１９は前記制御装置２、前記電源装置、前記固定ホルダ４を包んで、こうすれば前記ケース１内の部品を固定することが便利で、かつ使用者が便利に違った効率の前記電熱装置を換えるために、また前記固定ホルダ４に前記制御装置と電気連結する導電柱体１８を設定し、前記発熱ヘッド６に前記導電柱体１８と接触導通できかつ前記発熱装置と電気連結する導電シートを設定し、すなわち前記発熱ヘッド６の尾端に前記導電柱体１８をカバーする穴を設定し、前記穴の内に近寄る端部に前記導電シートを設定する。使用する時、前記発熱ヘッド６は初期状態および使用状態ではいずれも皮膚と髪に接触し、かつ使用状態では往復運動ができる。
【００１８】
本発明の制御装置２は三端子レギュレータ回路２０、制御回路２１、フォトカプラ回路２２、集成拡大回路２３、スイッチ回路２４、駆動回路２５を含み、前記三端子レギュレータ回路２０、前記フォトカプラ回路２２、前記集成拡大回路２３、前記スイッチ回路２４、前記駆動回路２５はいずれも前記制御回路２１と連結し、前記三端子レギュレータ回路２０によって電圧を輸出して前記制御回路２１に給電し、前記スイッチ回路２４が導通した後、前記フォトカプラ回路２２によって前記制御回路２１に模擬信号を提供し、前記制御回路２１はＡ／Ｄ  転換を経て、前記集成拡大回路２３と前記駆動回路２５に模擬信号を提供し、前記電熱装置を正常に作動させる。
【００１９】
前記三端子レギュレータ回路２０は前記電源装置３の電圧を５Ｖに降圧し、制御回路２１の中のＭＣＵＵ２の電源として使用する。本発明の電源装置３は一般的にはリチウム電池を採用し、その電圧は（６．６Ｖ〜８．４Ｖ）である。
【００２０】
前記制御回路２１はＭＣＵＵ２制御機器の主要作動過程を採用し、その機能は電池の充電、電熱線の検査と駆動、スイッチ１１のインプットに対する制御と検査、作動状態のＬＥＤ表示、および本発明の電熱脱毛機運動過程に対する光電検査などを含めている。
【００２１】
前記フォトカプラ回路２２は、本発明の電熱脱毛機が作動する時に用い、ホイール９は皮膚でスクロールする時、ホイール９はベルト８によって格子感知装置の感知輪７を動かし、前記感知輪７の格子、および前記光電収集／発射装置の赤外線発射管ＩＲ１が発射する赤外線は回転する感知輪７の格子を通して前記光電収集／発射装置の赤外線収集管ＰＴ１に受け入れられることによって、系列パルス信号を形成し、信号はシュミットトリガＵ４で整形された後、信号はＭＣＵＵ２に輸入し、本発明の電熱脱毛機の運行状態を検査することに用い、かつ前記電熱脱毛機を起動させて加熱を始める。
【００２２】
前記集成拡張回路２３は、電熱線ＦＲＳの電流が抵抗Ｒ１２（０．０５Ω）を経ることを駆動することに用い、抵抗Ｒ１２上の電圧信号はＵ３に依って構成された同歩比例拡大回路の拡大を経た後、信号はＭＣＵＵ２に輸入し、電熱線の長さを測定し、使用している発熱ヘッドは長い糸か短い糸を判断し、そして違う駆動パルスを提供する。本発明の電熱脱毛機は二種類の違う発熱ヘッド６に適用し、前記二種類の違う発熱ヘッド６は一つの大きいヘッドと一つの小さいヘッドであり、それぞれ違う髪に使用し、例えば大きいヘッドは比較的に長い髪に適用し、小さいヘッドは比較的に短い髪に適用し、前記集成拡大回路２３は検査結果によってパルス幅が異なり、頻度が一致であるパルス信号を提供する。したがって前記電熱線はホイール９が皮膚で運動する時に発熱し、かつ髪の長さによって、異なる電熱量を提供する。
【００２３】
前記スイッチ回路２４は使用者がスイッチ１１を押した時に用い、その対応なスイッチキーｓ１が押され、ＭＯＳ管Ｑ３が導通し、ＭＣＵＵ２の電源は＋５Ｖである時、ＭＣＵＲＡ３脚の常態は高電平であり、スイッチキーｓ１を押した時、ＭＣＵＵ２はＲＡ３脚は高電平から低電平に転換し、本発明の電熱脱毛機は起動して作動する。作動中にスイッチキーＳ１を押した時、ＭＣＵＵ２はＲＡ３脚電平の変化を測定し、本発明の電熱脱毛機を停止させる。
【００２４】
前記駆動回路２５は本発明の制御回路２１を駆動することに用い、充電器につながっていない時に、スイッチキーｓ１を押し、ＭＯＳ管Ｑ３は導通し、ＭＣＵＵ２の電源は＋５Ｖであり、ＭＣＵＵ２はＲＡ５脚を高電平にし、三極管Ｑ１は導通し、ＭＯＳ管Ｑ２、ＭＯＳ管Ｑ３を導通するようにさせ、電源をロッキングする；充電器につながると、充電電圧は抵抗Ｒ８を経て、Ｒ７が分圧してから三極管Ｑ４を駆動し、ＭＯＳ管Ｑ３を導通させ、ＭＣＵＵ２の電源は＋５Ｖであり、ＭＣＵＵ２はＲＡ５脚を高電平にし、三極管Ｑ１が導通し、ＭＯＳ管Ｑ３を導通させ、電池に充電する。
【００２５】
本発明は広範に脱毛分野に応用することができる。
【００２６】
電熱脱毛装置であり、その特徴は以下のとおりである：前記電熱脱毛装置はケース（１）及びケース（１）に設置される制御装置（２）、電源装置（３）、グレーティング感知装置、発熱装置を含み、前記電源装置（３）、前記グレーティング感知装置及び前記発熱装置が前記制御装置（２）に電気接続し、前記制御装置（２）が前記グレーティング感知装置が発する信号を受けて前記発熱装置を制御して熱を発生する。本発明は脱毛装置の分野に広く使用されることが可能である。
【００２７】
権利要求１の規程によって、前記電熱脱毛装置の特徴は以下のとおりである：前記電熱脱毛は前記ケース（１）に位置する固定フレーム（４）、発熱ヘッドホルダ（５）及び前記ホルダ（５）、前記ケース（１）の外部に位置して前記発熱ホルダ（５）にある発熱ヘッド（６）を含み、前記発熱装置が前記発熱ヘッド（６）に位置する。
【００２８】
権利要求２によって、前記電熱脱毛装置の特徴は以下のとおりである：前記発熱ヘッド（６）が早期状態及び使用状態において皮膚または毛に接触し、且つ使用状態において往復運動を実現できる。
【００２９】
権利要求２によって、前記電熱脱毛装置の特徴は以下のとおりである：前記グレーティング感知装置は感知輪（７）、ベルト（８）、ローラー（９）と光電送受信装置を含み、前記光電送受信装置は前記制御装置（２）に電気接続し、且つ前記感知輪（７）のグリルに配合し、前記感知輪（７）は前記ベルト（８）を介して前記ローラー（８）及び前記ローラー（９）に接続し、前記感知輪（７）及び前記ローラー（９）は固定フレーム（４）に回転的に設置され、前記ローラー（９）が前記固定ホルダ（４）に回転的に設置され、前記ローラー（９）が前記ケース（１）の外部に設置される。
【００３０】
権利要求４によって、前記電熱脱毛装置の特徴は以下のとおりである：ローラー（９）が皮膚で滑動する時、ローラー（９）がベルト（８）を介してグレーティング感知装置の感知輪（７）を伝動し、本感知輪（７）のグリル及び前記光電受発信装置の赤外線発射管（ＩＲ１）が発する赤外線貫通回転の感知輪（７）のグレーティングが光電受発信装置の赤外線接受管（ＰＴ１）に接受され、系列パルス信号を形成し、前記制御装置（２）に送り、前記発熱装置を制御して発熱させる。
【００３１】
権利要求２によって、前記電熱脱毛装置の特徴は以下のとおりである：前記発熱ホルダ（５）が前記固定フレーム（４）に設置され、且つ前記固定ホルダ（４）に滑動配合し、前記発熱ヘッドホルダ（５）と前記固定ホルダ（４）との間にバネ（１０）が設置される。
【００３２】
権利要求１−６のいずれかの条項によって、前記電熱脱毛装置の特徴は以下のとおりである：前記電熱脱毛装置は前記制御装置（２）に電気接続するスイッチ（１１）を含み、前記スイッチ（１１）が前記制御装置（２）に固定設置され、前記ケース（１）の上にある前記スイッチ（１１）の上の方にはキー（１２）が設置される。
【００３３】
権利要求１−６のいずれかによって、前記の電熱脱毛装置の特徴は以下のとおりである：前記制御装置は三端子安定回路、制御回路、フォトカプラ回路、集積拡大回路、スイッチ回路及び駆動回路を含み、前記三端子安定回路、前記フォトカプラ回路、前記集積拡大回路、前記スイッチ回路、前記駆動回路がそれぞれ前記制御回路に電気接続し、前記三端子安定回路を介して前記制御回路に給電し、前記スイッチ回路が繋がると、前記フォトカプラ回路により前記制御回路に信号を提供し、前記制御回路が確認して誘発信号を発し、前記集積拡大回路と前記駆動回路を誘発し、前記発熱装置を正常に稼働させる。
【００３４】
権利要求８によって、前記電熱脱毛装置の特徴は以下のとおりである：前記制御回路はＭＣＵを含み、電源装置への充電を制御し、発熱装置を検測して駆動して加熱する。
【００３５】
権利要求８によって、前記電熱脱毛装置の特徴は以下のとおりである：前記集積拡大回路（２３）が発熱糸の電流を駆動して電気抵抗（Ｒ１２）を経過させ、且つ電気抵抗（Ｒ１２）の電圧信号によって発熱糸の長さを判断し、異なる発熱糸に対して異なる駆動パルスを提供する。
【符号の説明】
【００３６】
１  はケース１
２  制御装置２
３      電源装置
４      固定ホルダ
５      発熱ヘッドホルダ
６      発熱ヘッド
７        感知輪
８        ベルト
９      ローラー
１０    にベネ
１１      スイッチ
１３      ＬＥＤ指示ライト
１７    フロント蓋
１４      噛み合うトップ蓋
１５      下部蓋
１６        バック蓋
１８      導電柱体
２０      三端子レギュレータ回路
２１        制御回路
２２        フォトカプラ回路
２３        集成拡大回路
２４          スイッチ回路
２５        駆動回路
ＦＲＳ      電熱線
Ｕ２            ＭＣＵ
Ｑ２、Ｑ３      ＭＯＳ管
Ｑ４、Ｑ１    三極管
ＩＲ１              赤外線発射管
ＰＴ１          赤外線収集管
Ｕ４              シュミットトリガ
Ｒ１２  ，Ｒ８，Ｒ７          抵抗
Ｓ１              スイッチキー
【図１】
2013180211.tif 000003
【図２】
2013180211.tif 000004
【図３】
2013180211.tif 000005
【図４】
2013180211.tif 000006
【図５】
2013180211.tif 000007
【図６】
2013180211.tif 000008
【図７】
2013180211.tif 000009
【図８】
2013180211.tif 000010
【図９】
2013180211.tif 000011
【図１０】
2013180211.tif 000012